(57)【要約】本発明はディジタル動画を送信機から受信機へ伝送するための方法に関する。送信機側の調整層により、優先クラスに分類された画像データストリームを種々のネットワークの複数のプロトコルを用いて受信機へ伝送する。受信機側の調整層では、伝送誤りを検出し、誤り処理を実行し、画像デコーダに供給する。【特許請求の範囲】
【請求項１】
ディジタル動画を送信機から受信機へ伝送するための方法において、
ａ）前記ディジタル動画は前記送信機側では画像データストリームとして存在し、
ｂ）前記画像データストリームを優先クラスに分類し、
ｃ）前記送信機側の調整層により、前記優先クラスに分類された画像データストリームを所定のプロトコルを用いて前記受信機へ伝送し、
ｄ）前記受信機側の調整層により、伝送誤りを検出し、
ｅ）前記伝送誤りに対して前記受信機側で誤り処理を実行し、
ｆ）伝送された誤り処理済み画像データストリームを画像デコーダに供給することを特徴とする、ディジタル動画を送信機から受信機へ伝送するための方法。
【請求項２】
複数の受信機が画像データストリームの宛先として設けられている、請求項１に記載の方法。
【請求項３】
まずは前記画像データストリーム内で最も情報内容の多い動画データが前記送信機から前記受信機へ伝送されるように、前記優先クラスに基づいて動画データのソートを行う、請求項１又は２に記載の方法。
【請求項４】
前記調整層は前記送信機から前記受信機への伝送に種々のプロトコルを使用する、請求項１から３のいずれか１項に記載の方法。
【請求項５】
前記調整層は、所定のサービス品質特性を伝送の際に考慮することにより、送信機と受信機との間の伝送サービスを提供する、請求項１から４のいずれか１項に記載の方法。
【請求項６】
前記調整層で誤りに敏感なプロトコルを使用することにより、伝送誤りを検出する、請求項１から５のいずれか１項に記載の方法。
【請求項７】
誤りに敏感な前記プロトコルはＲＴＰプロトコルである、請求項６に記載の方法。
【請求項８】
前記伝送を１つ又は複数の無線インタフェースを介して行う、請求項１から７のいずれか１項に記載の方法。
【請求項９】
前記伝送をパケット交換方式及び／又はコネクション型方式で行う、請求項１から８のいずれか１項に記載の方法。
【請求項１０】
前記画像デコーダは受け取った動画を表示する、請求項１から９のいずれか１項に記載の方法。
【請求項１１】
関連したマクロブロックのグループを優先クラス内のヘッダ情報によってアドレス可能にする、請求項１から１０のいずれか１項に記載の方法。
【請求項１２】
前記関連したマクロブロックに対するヘッダ情報をテーブルの形にまとめる、請求項１１に記載の方法。
【請求項１３】
前記画像デコーダはＭＰＥＧ規格又はＨ．２６ｘ規格により規格化された画像デコーダである、請求項１から１２のいずれか１項に記載の方法。
【請求項１４】
符号化されたディジタル動画を受信機において復号するための方法において、
ａ）前記ディジタル動画は画像データストリームとして存在し、
ｂ）前記画像データストリームを優先クラスに分類し、
ｃ）前記受信機側の調整層により伝送誤りを検出し、
ｄ）前記伝送誤りに対して前記受信機側で誤り処理を実行し、
ｅ）伝送された誤り処理済みの画像データストリームを画像デコーダに供給することを特徴とする、ディジタル動画を復号するための方法。
【請求項１５】
プロセッサユニットを有する画像デコーダにおいて、
前記プロセッサユニットは、
ａ）ディジタル動画が画像データストリームとして存在し、
ｂ）前記画像データストリームは優先クラスに分類されおり、
ｃ）受信機側の調整層により伝送誤りが検出可能であり、
ｄ）前記伝送誤りに対して前記受信機側で誤り処理が実行可能であり、
ｅ）伝送された誤り処理済みの画像データストリームを画像デコーダに供給することができる
よう構成されていることを特徴とする、画像デコーダ。
【請求項１６】
送信機及び受信機を有する、ディジタル動画を伝送するためのシステムにおいて、
ａ）前記ディジタル動画は前記送信機側では画像データストリームとして存在し、
ｂ）前記画像データストリームは前記送信機側で優先クラスに分類され、
ｃ）前記送信機側の調整層により、前記優先クラスに分類された画像データストリームは所定のプロトコルを用いて前記受信機へ伝送され、
ｄ）前記受信機側の調整層により伝送誤りが検出され、
ｅ）前記伝送誤りに対して前記受信機側で誤り処理が実行され、
ｆ）前記受信機側で、伝送された誤り処理済み画像データストリームは画像デコーダに供給される
ことを特徴とする、ディジタル動画を伝送するためのシステム。
【発明の詳細な説明】
【０００１】
本発明は、ディジタル動画を送信機から受信機に伝送するための方法及びシステムに関する。さらに、本発明は関連する（画像）デコーダに関する。
【０００２】
ディジタル画像データを処理する方法、とりわけ画像圧縮法は当業者には公知である（例えば、ＭＰＥＧ−２，ＭＰＥＧ−４又はＨ．２６ｘを参照）。
【０００３】
これに関連してさらに、ディジタル動画シーケンスを含んだ画像データストリームを、情報内容の多い情報がまず第一に伝送されるように、送信機から受信機へ伝送することも公知である。これは、いわゆる優先クラスの使用により適切に行われ、これに基づいて動画シーケンスの情報内容が分類される。したがって、優先クラスに依存して画像データを伝送することにより、画像データストリーム内で情報内容の多いデータをまず第一に受信機に伝送することが可能である。詳細は文献［１］、［２］又は［３］から知ることができる。
【０００４】
さらに、いわゆるリアルタイムトランスポートプロトコル（ＲＴＰ）が公知である。ＲＴＰプロトコルは、オーディオ及び／又はビデオのようなリアルタイムアプリケーション専用のプロトコルであり、データタイプ識別、パケット番号付け及びタイムマーカ監視のための機能を提供する。これらのプロトコルは、インターネット・エンジニアリング・タスク・フォース（ＩＥＴＦ）により規格化されており、ＭＰＥＧ−１，ＭＰＥＧ−２及びＨ．２６ｘに関する例は［４］又は［５］に記載されている。
【０００５】
さらに、画像処理においては、個々の画像ブロックをマクロブロックにまとめ、とりわけ複数の関連したマクロブロックをいわゆる「スライス」と見なすことも公知である。例えば、複数のマクロブロック、又は画像オブジェクトに関連した画像セグメントを１つのスライスにまとめることができる［６］。
【０００６】
従来技術の問題点は、誤りのあるチャネルで伝送が行われてもデコーダが伝送誤りに最初は気付かず、動画シーケンスを表示する際に復号された誤りが伝わってしまうことである。このことは、表示されるビデオ画像の重大な品質低下につながる。
【０００７】
本発明の課題は、ビデオ画像内への誤りの伝播をほぼ完全に阻止することである。
【０００８】
この課題は独立請求項に記載された特徴により解決される。本発明の発展形態は従属請求項から明らかとなる。
【０００９】
課題を解決するために、まずディジタル動画を送信機から受信機へ伝送するための方法を提案する。この方法では、ディジタル動画は送信機側では画像データストリームとして存在する。画像データストリームは優先クラスに分類される。送信機側の調整層により、優先クラスに分類された画像データストリームは所定のプロトコルを用いて受信機へ伝送される。受信機側の調整層では、伝送誤りがあれば、伝送誤りを検出する。検出された伝送誤りには受信機側で誤り処理が施される。誤り処理済みの画像データストリームは画像デコーダ（受信機側の）に供給される。こうして、伝送されたディジタル動画シーケンスは受信機側で表示される。
【００１０】
この方法の利点は、規格化された画像デコーダに対してトランスペアレントに「誤り処理」サービスが提供され、この「誤り処理」サービスが、伝送チャネル内の誤りがディジタル動画の表示に伝播することによる上記品質低下の発生を防ぐことである。むしろ、誤り処理は上記方法に従って、このような誤りが識別され、相応に処理されることを保証するので、上記のように動画内に誤りが伝播することはない。
【００１１】
特に有利な作用は、優先クラスへの分類と調整層による伝送との組合せから得られる。これにより、画像データストリーム内のデータが優先順位に従って送信機から受信機へ伝送され、受信機側には情報内容の最も多いデータから順に到着することが保証される。このことから、初めのうち動画は受信機側において一定の最低品質で表示可能であることが保証される。さらに伝送されるデータはとりわけ逐次的な品質改善に使用されるので、伝送誤りが存在する場合には、この時点で、少なくとも以前に伝送された画像データが利用可能であり、伝送誤りは以降伝送される画像には影響しないことが保証されている。
【００１２】
これに関して、有利には誤りの発生以降、動画シーケンス内でまさにこの画像に属する画像データストリームのすべての画像データを拒絶することができることを述べておきたい。これに応じて、この（拒絶された）画像データが中間画像の再構成に必要な場合には、再構成が明らかに誤りのあるデータに基づいて行われないよう取り決めることができる。誤り処理の実現は、同期された画像ごとに、誤りの発生以降、この画像に対する後続のデータを拒絶することにかかっている。例えば、まだ誤りを有していないパーティションのデータは、誤りが識別されるまで、誤り処理及び復号のために考慮される。誤り処理は、誤りのあるデータを拒絶することでもある。
【００１３】
優先クラス又は優先クラスの一部を内包したパケットがネットワークを介した伝送の際に失われると、調整層によりこれが認識される。そしてこれに対して、相応の誤り処理が開始される。パケットの喪失は、例えばＲＴＰプロトコルの使用により認識される。誤り処理はデータの拒絶により行われる。
【００１４】
とりわけここでは、パケットの喪失が前提とされる。それゆえ、パケットは到着するか、又は伝送（ネットワークでの）の際に失われてしまっている。したがって、このパケットの情報は手元に存在しない。可能な誤り処理は、例えば動き予測に対しては、誤りのない復号可能な最後の動きベクトルクラスと誤りのない復号可能な次の動きベクトルクラスとの間の動きベクトルの補間であってもよい。情報内容の多いパケットが失われた場合には、画像全体を拒絶してもよい。
【００１５】
本発明の発展形態では、画像データストリームに対する宛先として複数の受信機が設けられている。
【００１６】
伝送誤りの後、同期マーク又はパーティションテーブルによるパーティションの分離により、デコーダが連続的誤りの検出後再び画像データストリームを同期化することができることが保証されなければならない。これはＨ．２６３及びＭＰＥＧ−４規格の原理である。誤りがあった場合、データはとりわけ次にパーティションの境界が識別されるまで拒絶される。個々の情報内容の適切な優先順位付けにより、重要な情報が失われる確率が、情報内容の少ないデータ（パケット）が失われる確率よりも格段に低くなることが保証されなければならない。それゆえ、とりわけ画像ないし動画シーケンスが一定の最低品質で表示可能であることが保証される。
【００１７】
他の発展形態は、優先クラスに基づいて、まず画像データストリーム内で情報内容の最も多いデータが送信機から受信機へ伝送されるように動画データの分類が行われることから成っている。すでに上で述べたように、これにより、情報内容の最も多いデータ（動画シーケンスの各画像に関して、つまり同期可能な各ユニットに関して）がまず伝送されることが保証される。これに続いて、（格付けにおいて）重要度がより低いデータがそれぞれ伝送され、画像品質の漸進的改善が保証される。万が一このデータの内部で誤りが生じたとしても、ビデオ画像は十分な品質で識別可能であり、同期可能な現在のユニットに続く情報は拒絶される。同期可能なユニットとは、２つの同期点の間の領域を意味しており、この２つの同期点からそれぞれ再び−誤りが生じても−新たに画像データストリームのデータが考慮される。
【００１８】
別の発展形態では、調整層は送信機から受信機への伝送に種々のプロトコルを使用する。とりわけ、調整層はパケット交換サービスか又はコネクション型サービスを使用することがあり得る。有利には、調整層は、そのつどの伝送プロトコルのサービス品質特性を利用する。
【００１９】
調整層が複数のプロトコルを同時に使用できる、又は、調整層が１つのもしくは種々のプロトコルのチャネルを同時に使用できると、特に有利である。
【００２０】
ある１つの実施形態では、伝送誤りは、調整層において誤りに敏感なプロトコルを使用することで検出される。このような誤りに敏感なプロトコルとして、とりわけＲＴＰプロトコルがある。シーケンス番号に基づいて識別可能な各パケットは、ここでは誤りに敏感なものと見なすことができる。すなわち、パケットが失われると、関連するパケット番号もなくなる。したがって、到着するパケットは本来予想される番号よりも大きな番号を有している。それゆえ、誤り（ここではパケットの喪失）を認識することができる。
【００２１】
しかし原則的には、少なくとも伝送誤りの認識を保証するものであれば、他の個々のプロトコルを使用してもよい。
【００２２】
また、ある１つの実施形態では、伝送はパケット交換方式及び／又はコネクション型方式で実施される。
【００２３】
別の実施形態では、画像デコーダは収容された動画を表示する。
【００２４】
とりわけ、規格化された画像デコーダを使用することができ、この画像デコーダに対してトランスペアレントに「誤り処理」サービスが提供されることが、上記方法の利点である。それゆえ、もはや伝送された如何なる伝送誤りも表示しないように、規格化されたデコーダの機能が拡張される。これは上で説明した調整層により保証される。
【００２５】
ある１つの発展形態でも、関連するマクロブロック（スライス）のグループは、優先クラス内のヘッダ情報によりアドレス可能になる。これは特に、複数の（順次する）マクロブロック（＝スライス）のまとまりが、画像データストリームの一部として優先クラスへ分類可能であるという利点を有している。スライスの論理的構造は画像データストリーム内の画像データの連続伝送の際にも考慮される。これは様々なやり方で行うことができる。１つの方式としては、スライス情報の先頭に、スライスに含まれるブロックのマクロブロックタイプ情報を置くことである。他の方式は、スライステーブルを設け、これにより、マクロブロックタイプないしマクロブロックを異なる複数のスライスに割当てることである。第３の方式は、スライス情報を下位の優先クラスに、例えばスライスに含まれるマクロブロックの指標となるＤＣＴ係数に直接割当てることである。
【００２６】
とりわけ、ある１つの発展形態では、画像デコーダは、ＭＰＥＧ規格又はＨ．２６ｘ規格に従って動作する規格化された画像デコーダである。
【００２７】
さらに、課題解決のため、ディジタル動画を受信機内で復号する方法が示される。この場合、ディジタル動画は画像データストリームとして存在している。画像データストリームは優先クラスに分類される。受信機の調整層により、伝送誤りが検出される。伝送誤りに対しては、受信機において誤り処理が実行され、伝送誤りの処理が済んだ画像データストリームは画像デコーダに供給される。
【００２８】
さらに、課題解決のため、プロセッサユニットを有する画像デコーダが示される。このプロセッサユニットは以下のように構成されている。
【００２９】
ａ）ディジタル動画は画像データストリームとして存在する；
ｂ）画像データストリームは優先クラスに分類される；
ｃ）受信機の調整層により、伝送誤りが検出される；
ｄ）伝送誤りに対して、受信機において誤り処理が実行される；
ｅ）伝送誤りの処理が済んだ画像データストリームは画像デコーダに供給可能である。
【００３０】
また、課題解決のため、送信機及び受信機を用いてディジタル動画を伝送するシステムが示される。なお、このシステムでは、ディジタル動画は送信機において画像データストリームとして存在している。送信機は画像データストリームを優先クラスに分類する。送信機は、調整層に基づいて、優先クラスに分類された画像データストリームを所定のプロトコルを用いて受信機に伝送する。受信機は、調整層に基づいて伝送誤りを検出し、検出された伝送誤りに対して誤り処理を実行する。受信機では、伝送された誤り処理済みの画像データストリームが画像デコーダに供給される。
【００３１】
ディジタル動画を復号する上記方法は、上で説明した発展形態のうちのいずれか１つを実施するのに特に適している。
【００３２】
上記画像デコーダ及びディジタル動画を伝送するシステムは、上記方法及び上で説明した発展形態のうちのいずれか１つを実施するのに特に適している。
【００３３】
以下では、本発明の実施例を図面を用いて示し、説明する。
【００３４】
図１は、ディジタル動画を送信機から受信機へ伝送するためのシステムのスケッチである。
【００３５】
図１には、ディジタル動画を送信機から受信機へ伝送するためのシステムが示されている。以下では、ディジタル動画を送信機から受信機へ伝送するためのシステム、画像デコーダ及び方法、ならびに復号の方法を説明する。
【００３６】
図１には、動画を符号化するためのエンコーダ１０１が示されている。符号化された動画は（できるだけ圧縮して、つまりリソースを大事に）デコーダ１１０に伝送される。なお、デコーダ１１０は有利には符号化規格に従って、例えばＭＰＥＧー４又はＨ．２６３に従って動作する。このために、プロトコルアーキテクチャの拡張がなされており、ブロック１０２〜１０４はエンコーダ側に、ブロック１０７〜１０９はデコーダ側に含まれる。このプロトコルアーキテクチャの拡張は、デコーダ１１０がトランスペアレントに付加的サービスを使用できるようにすること、つまり誤りに対して耐性があり且つ誤り処理の為された画像データストリームを供給することを目的としている。これに関して、１つには、伝送チャネル（１０５又は１０６）を介して優先クラスを考慮しつつ伝送を行うと有利である。つまり、情報内容の多い情報をまず伝送し、さらに、チャネルの伝送誤りを識別及び処理することにより、動画シーケンスを介して伝播しビデオ品質を著しく損なうビット誤りをデコーダ１１０が受け取らないようにすると有利である。
【００３７】
それに応じて、エンコーダ１０１側のブロック１０２では、優先クラスへのパーティショニングが行われる。すなわち、画像データストリームが要素ごとに優先クラスへと順序づけされる。下記の形態を有する例えばＨ．２６Ｌからの画像データストリーム
【００３８】
【外１】
2004503185.tif 000002
【００３９】
を出発点として、下記の優先クラスへのパーティショニングが実行される：
１：ＰＳＹＮＣ（“Ｐｉｃｔｕｒｅ　Ｓｙｎｃ”、画像同期化）
ＰＴＹＰＥ（“Ｐｉｃｔｕｒｅ　Ｔｙｐｅ”，画像タイプ）
２：ＭＢ＿ＴＹＰＥ１…ＭＢ＿ＴＹＰＥｎ（“Ｍａｃｒｏｂｌｏｃｋ−Ｔｙｐｅ”，１つのフレーム／スライス内に現れるすべての要素）
３：ＣＢＰ１…ＣＢＰｎ（“Ｃｏｄｅｄ　Ｂｌｏｃｋ　Ｐａｔｔｅｒｎ”，符号化されたブロックパターン）
４：ＭＶＤ１…ＭＶＤｎ（“Ｍｏｔｉｏｎ　Ｖｅｃｔｏｒ　Ｄｉｆｆｅｒｅｎｃｅ”，動きベクトル差）
５：ＬＵＭ１…ＬＵＭｎ（“Ｌｕｍｉｎａｎｃｅ　Ｃｏｅｆｆｉｃｉｅｎｔ”，輝度値）
６：ＣＨＲ＿ＤＣ１…ＣＨＲ＿ＤＣｎ（“ＤＣ−Ｃｈｒｏｍｉｎａｎｃｅ　Ｃｏｅｆｆｉｃｉｅｎｔ”，ＤＣクロミナンス値）
７：ＣＨＲ＿ＡＣ１…ＣＨＲ＿ＡＣｎ（“ＡＣ−Ｃｈｒｏｍｉｎａｎｃｅ　Ｃｏｅｆｆｉｃｉｅｎｔ”、ＡＣクロミナンス値）
上記の優先クラス１〜７は例示的なものであり、優先クラス１が最も優先度の高いクラスである。画像データストリームの優先クラスへのパーティショニング（ブロック１０２を参照）の後、調整層（ブロック１０３及び１０４）において、（誤りのある）伝送チャネルを介した伝送がトリガされる。図１では、ブロック１０３にはＵＭＴＳネットワークに対する調整層が示されており、ブロック１０４にはＩＰネットワーク（インターネットプロトコル）に対する調整層が示されている。ここで大きな利点は、使用される各ネットワークに依存して、このネットワークの独特のサービス品質特性を利用しうることにある。サービス品質特性は調整層へネットワークにより通知される。さらに、デコーダ１１０側では、どの調整層が手元にあるかをエンコーダ１０１に通知してもよく、その結果、使用可能なネットワークが相応して使用される（リターンチャネル１１２及び１１４を参照）。調整層は、優先クラスへと順序づけられた画像データをＲＴＰパケットにパッキングし、これを（様々な方式で、例えばパケット交換方式で）デコーダ１１０側の各調整層（ブロック１０７及び１０８を参照）へ伝送する。画像データストリームは参照番号１１１及び１１３により表示されている。
【００４０】
調整層により伝達されるこのようなパケットは、例えば下記の構造を有している：
１：ＰＳＹＮＣ，ＰＴＹＰＥ，ＭＢ＿ＴＹＰＥ１…ＭＢ＿ＴＹＰＥｎ，ＣＢＰ１…ＣＢＰｎ，ＭＶＤ１…ＭＶＤｎ（優先クラス１〜４）
２：ＬＵＭ１…ＬＵＭｎ（優先クラス５）
３：ＣＨＲ＿ＤＣ１…ＣＨＲ＿ＤＣｎ（優先クラス６）
４：ＣＨＲ＿ＡＣ１…ＣＨＲ＿ＡＣｎ（優先クラス７）
ここでもまた、動画シーケンスの各画像にとって最も重要な情報は優先クラス１〜４にまとめられていることが明らかである。説明については上を見よ。輝度値（グレー値、ルミナンス値）は優先クラス５にまとめられており、クロミナンス値（優先クラス６及び７）に先行して伝送される。デコーダはこのようなパケットを受け取ると、画像が始まること、この画像がどのタイプであるかということ、画像内にオブジェクトが存在するかどうかを識別し、オブジェクトが存在する場合には、符号化方式（ブロック内にＤＣＴがあるか否か）及び動きベクトル情報を識別する。その直後に、輝度値、つまり実際の画像情報が伝送される。色情報は輝度情報より遅れて伝送される；やむをえない場合には、画像は色情報なしで識別可能である。
【００４１】
ネットワークを介した伝送は、ネットワーク特有の特性を利用して行われる。図１には、インターネットプロトコルネットワークとＵＭＴＳネットワークとが例として示されている。これらネットワークの各々は妨害の影響下にあることもあり、その際には、パケットの喪失が生じかねない。デコーダ側の調整層（ブロック１０７及び１０８を参照）はこのようなパケット喪失を検出する。ブロック１０９は、優先クラスの分配による画像データストリームのディパーティショニング、つまり再構成を引き受け、失われてしまった情報に対する誤り処理を実行する。最後に、結果がデコーダ１１０に引き渡される。デコーダ１１０が規格化された画像デコーダであってもよいように、優先クラスへの分類ないしディパーティショニングのサービス、及び上記誤り処理は、デコーダ１１０に対してトランスペアレントに提供される。
【００４２】
とりわけ、下位の各優先クラスは上位の優先クラスへの従属性を示す。上位の優先クラスのデータが失われると、失われた情報が以前の画像から推測可能でないかぎり、失われたクラスの要素に従属するそれよりも下位の優先クラスはもはや評価不能になる（“ｅｒｒｏｒ　ｃｏｎｃｅａｌｍｅｎｔ”（誤りの潜伏））。この推測が成功すればするほど、個々の画像情報はますます相関してくる（しかし、符号化効率はより低くなる）。
【００４３】
特徴は、分類された画像データストリーム内で、順次する複数のマクロブロック（スライス）のまとまりを考慮することもできることである。さらに、有利には、一方では上記パーティショニング法のスライスをどのようにしてアドレス可能な状態に保つかが指示され、他方でアドレッシングには可能なかぎり少ない記憶場所しか必要とされない。
【００４４】
画像データストリーム（パーティショニングなし）内のスライスヘッダの通常の配列は、下記の通りである。
【００４５】
【外２】
2004503185.tif 000003
【００４６】
ただし、
ＳＬＩＣＥ＝スライスヘッダ
ＳＬＩＣＥＴＡＢＬＥ＝テーブルとしてのスライスアドレッシング
ＤＣＴ−Ｃｏｅｆｆ＝マクロブロック内のすべてのＤＣＴ係数
である。
【００４７】
パーティショニングの際、スライス内に含まれるすべてのマクロブロックタイプがスライスヘッダに後置されるようにスライスヘッダを指定する機会が生じる：
【００４８】
【外３】
2004503185.tif 000004
【００４９】
この際、スライスヘッダ情報は、上の例（マクロブロックタイプ）の優先クラス２に分類されている。
【００５０】
択一的には、スライスヘッダのアドレッシングをテーブルとして行ってもよい。その際、テーブルの要素は、どのマクロブロックがどのスライスに属しているかを示している（列／行対応）。このようなスライスアドレッシングは下記の通りである：
【００５１】
【外４】
2004503185.tif 000005
【００５２】
他の択一肢としては、スライスヘッダのアドレッシングは、本来の画像データ、すなわちＤＣＴ係数の範囲内で行われる。この場合、スライス情報は例えばクロミナンス値、すなわち上記図式による優先クラス５に分類される。
【００５３】
つぎにこのために１つの例を示す。
【００５４】
【外５】
2004503185.tif 000006
【００５５】
スライスアドレッシングをテーブルを介して又はマクロブロックタイプパーティションの枠内で行う際、有効な記憶場所を節約することが可能である。さらに、受信機の調整層においてアドレッシングの方式が特定の方式に統一されれば、デコーダ１１０に対してトランスペアレントかつ効率的な変換を行うことができる。
【００５６】
【外６】
2004503185.tif 000007
【図面の簡単な説明】
【図１】ディジタル動画を送信機から受信機へ伝送するためのシステムのスケッチである。
【図１】
2004503185.tif 000008
【国際公開パンフレット】
2004503185.tif 000009
2004503185.tif 000010
2004503185.tif 000011
2004503185.tif 000012
2004503185.tif 000013
2004503185.tif 000014
2004503185.tif 000015
2004503185.tif 000016
2004503185.tif 000017
2004503185.tif 000018
2004503185.tif 000019
2004503185.tif 000020
2004503185.tif 000021
2004503185.tif 000022
2004503185.tif 000023
2004503185.tif 000024
2004503185.tif 000025
2004503185.tif 000026
2004503185.tif 000027
2004503185.tif 000028
2004503185.tif 000029
【国際公開パンフレット（コレクトバージョン）】
2004503185.tif 000030
【国際調査報告】
2004503185.tif 000031
2004503185.tif 000032
2004503185.tif 000033
2004503185.tif 000034
2004503185.tif 000035
2004503185.tif 000036
2004503185.tif 000037
2004503185.tif 000038